(57)【要約】【課題】  指の静脈認証を行う場合に、指の位置，角度を正確に再現し、様々な太さや長さの指についても静脈認証の認識率を向上させる。【解決手段】  静脈認証機能を備えた携帯電話端末１の筐体に着脱自在となされた静脈認証補助パネル１０において、ユーザの指が置かれた時に当該指の位置を略々固定するための所定の窪み形状を備えた指ガイド部１１ａ，１１ｂ，１１ｃと、指ガイド部１１ｂ内に設けられ、携帯電話端末１に搭載されている静脈認証用カメラ部のレンズ前面に対応した位置に設けられ、当該カメラ部のレンズ面へ光を通過させる貫通穴からなるカメラ窓部１３と、カメラ窓部１３の近傍に設けられると共に、指ガイド部１１ｂ内に置かれたユーザの指内部へ静脈認証用の近赤外光を照射するための照明部１４ａ，１４ｂとを有している。【選択図】  図２
2007215951.tif 000002
【特許請求の範囲】
【請求項１】
静脈認証機能を備えた携帯端末の筐体に着脱自在となされた静脈認証補助パネルであって、
ユーザの指が置かれた時に、当該指の位置を略々固定するための所定の窪み形状を備えた指ガイド部と、
上記指ガイド部内に設けられていると共に、上記携帯端末に搭載されている静脈認証用カメラ部のレンズ前面に対応した位置に設けられ、当該カメラ部のレンズ面へ光を通過させる貫通穴若しくは透明部材からなるカメラ窓部と、
上記カメラ窓部の近傍に設けられると共に、上記指ガイド部内に置かれたユーザの指内部へ静脈認証用の照明光を照射するための照明部と、
を有することを特徴とする静脈認証補助パネル。
【請求項２】
請求項１記載の静脈認証補助パネルであって、
上記照明部は、上記指ガイド部内に置かれたユーザの指内部へ照射される照明光を発生する発光部を有し、
上記携帯端末に設けられている電気接点と電気的に接続し、当該携帯端末の電気接点を介して供給される電力を上記発光部へ導くための電気接点及び電力線を備えることを特徴とする静脈認証補助パネル。
【請求項３】
請求項１記載の静脈認証補助パネルであって、
上記照明部は、上記携帯端末の搭載されている静脈認証用カメラ部の近傍に配置された発光部に対応した位置に設けられ、上記携帯端末の発光部から出射された照明光を通過させる貫通穴若しくは透明部材を有することを特徴とする静脈認証補助パネル。
【請求項４】
請求項１記載の静脈認証補助パネルであって、
上記指ガイド部は、ユーザの指が置かれた時に、上記窪み形状の長さ方向の一方の端部にて指先を当接させて固定させるための所定形状の指先固定部を有することを特徴とする静脈認証補助パネル。
【発明の詳細な説明】
【技術分野】
【０００１】
本発明は、特定使用者の静脈認証を行うための機能を備えた携帯端末に着脱可能な静脈認証補助パネルに関する。
【背景技術】
【０００２】
従来より、例えば携帯電話端末やＰＤＡ（Personal Digital Assistants）等の携帯可能な携帯端末は、外出時などにおいて常に持ち歩くことを前提にして作られている。
【０００３】
一方で、これらの携帯端末は、外出先等で置き忘れられてしまうことも多く、また、最悪の場合盗難されることこともあり得る。このように、置き忘れられたり、盗難された場合、その携帯端末が不正に使用されたり、個人情報等が盗み見られたりする虞がある。さらに、近年は、いわゆる電子財布機能を備えた携帯端末も製品化されており、そのような携帯端末が不正使用された場合には、金銭的な被害をも被ることになる。
【０００４】
このため、最近は、携帯端末に使用者の個人認証機能を搭載することが望まれている。
【０００５】
なお、例えば特開２００４−４９７０５号の公開特許公報（特許文献１）には、１本の指の指紋を下面に向けて挿入できる挿入部を設けたケースと、当該指に対してその上面から透過光を発生する光源部と、任意波長に対して光透過性を有する干渉フィルタ部と、該干渉フィルタ部を透過した透過光を撮像する撮像部と、該撮像部から出力される、前記指の静脈画像データの画像処理部とを有する個人認証装置が開示されている。この公報に記載の技術によれば、指の静脈画像を利用して個人又は複数人のグループの個人認証を行う場合において、左右どちらの手の指に対しても容易に設定でき、高い再現性をもって指静脈画像を取得でき、高い認証精度で個人認証が可能となされている。
【０００６】
【特許文献１】特開２００４−４９７０５号公報（図１）
【発明の開示】
【発明が解決しようとする課題】
【０００７】
ところで、指等の静脈は、一般に外部からは見えず、生体内部で三次元的に形成されているため、例えば指紋などのように外部に露出しているものとは異なり、複製が非常に困難である。このため、静脈認証は、個人認証の手法として非常に有効であると言われている。
【０００８】
一方で、例えば指の静脈認証を行う場合には、血管が少ない指先ではなく、指の中程などのように或る程度の太さを有する血管が多く集まる部分に光（近赤外光等）を照射することが望ましい。しかしながら、静脈認証装置に指を置く位置や角度を正確に再現することは難しく、指を置く位置や角度を正確に再現できないと、静脈認証の認識率が低下してしまうことになる。
【０００９】
特に、携帯端末などの小型の筐体を有する装置において、指の静脈認証を行おうとした場合、上述の特開２００４−４９７０５号の公開特許公報に記載のように指を挟み込んで認証を行うような構造を採用することは難しい。
【００１０】
勿論、携帯端末において、筐体上の所定の位置にマーク（印）を付けておき、そのマークに指の位置を合わせて静脈認証を行うようなことも考えられるが、それでもやはり指の位置を正確に合わせるのは難しく、また、マークによる位置合わせだけでは、指の角度まで正確に再現するのは非常に困難である。さらに、手の指の太さや長さ、形状は各人千差万別であり、それら様々な太さ、長さ、形状の指に一様に対応するのは難しく、そのことも指の静脈認証の認識率を低下させる要因となっている。
【００１１】
本発明は、このような実情に鑑みて提案されたものであり、携帯端末のような小型の筐体を有する装置において例えば指の静脈認証を行う場合に、その指の位置や角度を略々正確に再現でき、また、様々な太さや長さ、形状の指についても静脈認証の認識率を向上させることを可能とする静脈認証補助パネルを提供することを目的とする。
【課題を解決するための手段】
【００１２】
本発明の静脈認証補助パネルは、静脈認証機能を備えた携帯端末の筐体に着脱自在となされたパネルであって、ユーザの指が置かれた時に当該指の位置を略々固定するための所定の窪み形状を備えた指ガイド部と、指ガイド部内に設けられていると共に、携帯端末に搭載されている静脈認証用カメラ部のレンズ前面に対応した位置に設けられ、当該カメラ部のレンズ面へ光を通過させる貫通穴若しくは透明部材からなるカメラ窓部と、カメラ窓部の近傍に設けられると共に、指ガイド部内に置かれたユーザの指内部へ静脈認証用の照明光を照射するための照明部とを有することにより、上述した課題を解決する。
【００１３】
すなわち、本発明によれば、指ガイド部は、ユーザの指が置かれた時に当該指の位置を略々固定するための所定の窪み形状を備えているため、指の静脈認証を行う場合に、その指の位置や角度を略々正確に再現できるようになる。また、本発明によれば、静脈認証補助パネルは携帯端末の筐体に着脱自在であるため、指ガイド部の窪み形状にバリエーションを持たせたパネルを適切に選択使用することで、様々な太さや長さ、形状の指を、指の静脈認証時に固定することができる。
【発明の効果】
【００１４】
本発明によれば、静脈認証補助パネルは、ユーザの指が置かれた時に当該指の位置を略々固定するための所定の窪み形状を備え、携帯端末の筐体に着脱自在となされているため、小型の筐体を有する携帯端末において指の静脈認証を行う場合に、その指の位置や角度を略々正確に再現でき、また、様々な太さや長さ、形状の指についても静脈認証の認識率を向上させることが可能となる。
【発明を実施するための最良の形態】
【００１５】
以下、図面を参照しながら、本発明の一実施形態について説明する。
【００１６】
なお、以下の説明では、本発明の一実施形態として、静脈認証機能を備えた携帯電話端末を例に挙げているが、勿論、ここで説明する内容はあくまで一例であり、本発明はこの例に限定されないことは言うまでもない。本実施形態では、いわゆるストレートタイプの携帯電話端末を例に挙げているが、本発明はそれに限定されず、折り畳みタイプなど他の各種の携帯電話端末にも適用可能である。
【００１７】
〔携帯電話端末の外観〕
図１には本発明実施形態の携帯電話端末１の概略的な正面外観図を示し、図２には当該携帯電話端末１の概略的な背面外観図を示す。
【００１８】
本実施形態の携帯電話端末１は、図１に示すように、筐体正面側に、例えば液晶デバイスにより構成されたディスプレイ部２や受話用のスピーカ４、テンキーや十字キー等からなるキーボード部３、送話用のマイクロホン５等が設けられている。一方、筐体背面側には図２では図示を省略している電池部と、少なくとも近赤外光を受光可能なカメラ部とが設けられていると共に、外装パネルが着脱可能となされている。
【００１９】
〔静脈認証補助パネルの第１の具体例〕
本実施形態の携帯電話端末１の筐体背面側に着脱可能となされる外装パネルは、例えば図２及び図３，図４に示すような形状を有しており、後述する静脈認証用の補助パネルとしての機能を備えている。図２は、携帯電話端末１の筐体背面側に当該静脈認証補助パネル１０が取り付けられた状態を示しており、図３は、本実施形態の静脈認証補助パネル１０のみの概略的な正面外観図を、図４は、図３の静脈認証補助パネル１０を図３中の一点鎖線で切断した概略断面図を示している。なお、図４には、携帯電話端末１の背面筐体の一部とその背面筐体に設けられているカメラ部２１も表されている。
【００２０】
本実施形態において、上記静脈認証補助パネル１０は、図２〜図４に示すように、片手の隣り合う三本の指（例えば人差し指、中指、薬指の三本の指）を置いた時にそれら各指の位置を各々略々固定できるような半円形窪み形状の指型ガイド部１１ａ，１１ｂ，１１ｃを備えている。
【００２１】
また、それら三つの指型ガイド部１１ａ，１１ｂ，１１ｃには、上記窪み形状の長さ方向の一方の端部において各指先を当接させた時にそれら各指先の位置を略々固定できるような半円形状の指先固定部１２ａ，１２ｂ，１２ｃが設けられている。勿論、上記半円形状の指先固定部１２ａ，１２ｂ，１２ｃを設けないようにし、指先が指型ガイド部の端部から突き出るようにしても良い。
【００２２】
また、上記三つの指型ガイド部１１ａ，１１ｂ，１１ｃのうち、例えば真ん中の指型ガイド部１１ｂの例えば略々中央部には、携帯電話端末１の筐体背面側に配設されているカメラ部２１のレンズ前面に対応した位置の貫通穴で且つ当該貫通穴を通った光のみをカメラ部２１のレンズ面へ導くようになされたカメラ窓部１３が設けられている。なお、カメラ窓部１３は、貫通穴の他に、近赤外光を通過させることのできる透明部材により形成されていても良い。
【００２３】
さらに、本実施形態の静脈認証補助パネル１０において、上記指型ガイド部１１ｂの幅方向の上記カメラ窓部１３の両脇部分には、例えば近赤外光を発光可能なＬＥＤ（発光ダイオード）等を備え、当該静脈認証補助パネル１０の外側方向にのみ照明光を出射するようになされた照明部１４ａ，１４ｂが設けられている。そして、これら照明部１４ａ，１４ｂのＬＥＤには、当該静脈認証補助パネル１０の内側に設けられている電気接点及び携帯電話端末１の背面筐体上に設けられている電気接点を通じて、当該携帯電話端末１本体から駆動電力が供給される。なお、静脈認証補助パネル１０の内側に設けられている電気接点、及び、その電気接点から照明部１４ａ，１４ｂのＬＥＤへ至る電力線と、携帯電話端末１の背面筐体上に設けられている電気接点の図示は省略している。その他、上記照明部１４ａ，１４ｂは、図３に示すように指型ガイド部１１ｂの長さ方向に細長い発光部を有するものでも良いし、一般的なＬＥＤのように円形等の発光部を有するものでも良い。
【００２４】
〔第１の具体例のまとめ〕
上述のように、本実施形態によれば、指型ガイド部１１ａ，１１ｂ，１１ｃとカメラ窓部１３及び照明部１４ａ，１４ｂを備えた上記静脈認証補助パネル１０を携帯電話端末１の背面側に取り付けた場合、上記指型ガイド部１１ａ，１１ｂ，１１ｃにより指を略々固定した状態で、上記照明部１４ａ，１４ｂからの照明用近赤外光を指の内部へ照射し、さらに、その指の内部で反射された近赤外光像を、上記カメラ窓部１３を通じて、携帯電話端末１のカメラ部２１にて撮像可能となされている。そして、本実施形態の携帯電話端末１は、上記カメラ部２１にて撮像した指の内部の画像から、ユーザ固有の生体パターンつまりこの例ではユーザの指の静脈パターンを抽出し、当該抽出した静脈パターンと、予め予め登録されている正当なユーザの静脈パターンと比較することにより、当該ユーザの認証を行う。
【００２５】
すなわち本実施形態によれば、上記指型ガイド部１１ａ，１１ｂ，１１ｃにより指を略々固定することができるため、指の静脈認証の際に、指の位置や角度を略々正確に再現することができ、その結果、静脈認証の認識率を向上させることができる。また、本実施形態によれば、照明部１４ａ，１４ｂから出射した近赤外光を指の内部に略々無駄なく照射することができ、更に、上記指の内部で反射されてカメラ窓部１３を通った近赤外光のみがカメラ部２１へ入射し、例えば指の表面で反射された近赤外光や太陽光等の外光など、静脈認証時のノイズとなる光がカメラ部２１へ入射することを略々無くすことができる。
【００２６】
また、本実施形態によれば、カメラ窓部１３及び照明部１４ａ，１４ｂは、指型ガイド部１１ｂの略々中央部に配されているため、指先ではなく、静脈認証に使用し易い指の中程をカメラ部２１により撮影することが可能となる。
【００２７】
〔静脈認証補助パネルの第２の具体例〕
図５には、本実施形態の静脈認証補助パネル１０の第２の具体例を示す。なお、当該図５は、第２の具体例の静脈認証補助パネル１０の概略断面図を示している。また、図５において、前述の図２〜図４と同じ構成要素には同一の指示符号を付して、それらの詳細な説明は省略する。
【００２８】
図５に示す第２の具体例の静脈認証補助パネル１０は、第１の具体例のようなＬＥＤを備えた照明部１４ａ，１４ｂに代えて、携帯電話端末１の筐体背面側のカメラ部２１の両脇に配設されたＬＥＤ等のライト部２２ａ，２２ｂに対応した位置の貫通穴で且つそれら貫通穴を上記ライト部２２ａ，２２ｂから出射した光が通るための照明部１５ａ，１５ｂを備えている。なお、照明部１５ａ，１５ｂは、貫通穴の他に、近赤外光を通過させることのできる透明部材により形成されていても良い。
【００２９】
この第３の具体例によれば、ライト部２２ａ，２２ｂが携帯電話端末１側に設けられているため、静脈認証補助パネル１０には電気接点や電力線が不要となり、当該パネルの部品点数削減による簡略化とコストの低減を図ることができる。
【００３０】
〔静脈認証補助パネルの第３の具体例〕
図６には、本実施形態の静脈認証補助パネル１０の第３の具体例を示す。なお、当該図６は、第３の具体例の静脈認証補助パネル１０の概略正面図を示している。また、図６において、前述の図２〜図４と同じ構成要素には同一の指示符号を付して、それらの詳細な説明は省略する。
【００３１】
この図６に示す第３の具体例の静脈認証補助パネル１０は、三つの指型ガイド部１１ａ，１１ｂ，１１ｃの上記窪み形状の幅が、前述の図３に示した第１の具体例のパネル１０の指型ガイド部１１ａ，１１ｂ，１１ｃよりも狭くなされている。
【００３２】
この第３の具体例の静脈認証補助パネル１０によれば、幅の狭い指型ガイド部１１ａ，１１ｂ，１１ｃを備えていることにより、指が細いユーザでも、指を固定し易くなっている。なお、前述の図３に示した第１の具体例のパネル１０の指型ガイド部１１ａ，１１ｂ，１１ｃが一般的な大人の指の太さを想定したものである場合、当該第３の具体例のパネル１０は、指が細い大人若しくは子供の指を想定したものとなる。
【００３３】
〔静脈認証補助パネルの第４の具体例〕
図７には、本実施形態の静脈認証補助パネル１０の第４の具体例を示す。なお、当該図７は、第４の具体例の静脈認証補助パネル１０の概略正面図を示している。また、図７において、前述の図２〜図４と同じ構成要素には同一の指示符号を付して、それらの詳細な説明は省略する。
【００３４】
この図７に示す第４の具体例の静脈認証補助パネル１０は、三つの指型ガイド部１１ａ，１１ｂ，１１ｃの上記窪み形状の幅が、前述の図３に示した第１の具体例のパネル１０の指型ガイド部１１ａ，１１ｂ，１１ｃよりも広くなされている。
【００３５】
この第４の具体例の静脈認証補助パネル１０によれば、幅の広い指型ガイド部１１ａ，１１ｂ，１１ｃを備えていることにより、指が太いユーザでも、指を固定し易くなっている。なお、前述の図３に示した第１の具体例のパネル１０の指型ガイド部１１ａ，１１ｂ，１１ｃが一般的な大人の指の太さを想定したものである場合、当該第３の具体例のパネル１０は、指が通常よりも太い大人を想定したものとなる。
【００３６】
〔静脈認証補助パネルの第５の具体例〕
図８には、本実施形態の静脈認証補助パネル１０の第５の具体例を示す。なお、当該図８は、第５の具体例の静脈認証補助パネル１０の概略正面図を示している。また、図８において、前述の図２〜図４と同じ構成要素には同一の指示符号を付して、それらの詳細な説明は省略する。
【００３７】
この図８に示す第５の具体例の静脈認証補助パネル１０は、三つの指型ガイド部１１ａ，１１ｂ，１１ｃがパネルの縦方向に配列したものである。
【００３８】
この第５の具体例の静脈認証用パネル１０によれば、パネルの縦方向に指型ガイド部１１ａ，１１ｂ，１１ｃを配列させたことで、例えば指が長いユーザでも、指を固定し易くなっている。
【００３９】
〔第１〜第５の具体例のまとめ〕  
本実施形態によれば、第１，第２の具体例のような標準的な大人の指に合わせた静脈認証補助パネル１０に対し、第３〜第５の具体例のように、ユーザの指の幅や長さに応じた様々な静脈認証補助パネル１０を使い分けることが可能であるため、様々な太さや長さ、形状の指についても、指の位置や角度を略々正確に再現して静脈認証の認識率を向上させることが可能となる。
【００４０】
なお、上述した各具体例の静脈認証補助パネル１０は極一部の例であり、さらに細い指や逆に太い指、さらに短い指や長い指、その他真っ直ぐな指だけでなく、湾曲した指など、ユーザそれぞれの指に合わせた様々な形状に対応したものも本発明に含まれる。
【００４１】
〔携帯電話端末の概略的な内部構成〕
図９には、上述した本発明実施形態の携帯電話端末の概略的な内部構成を示す。
【００４２】
通信アンテナ５２は、例えば内蔵アンテナであり、通話やパケット通信のための信号電波の送受信を行う。通信回路５１は、送受信信号の周波数変換、変調と復調等を行う。なお、パケット通信により送受信されるデータは、電子メールデータ、動画像や静止画の画像データ、音声データ、ＨＴＭＬ（Hyper Text Markup Language）データ、プログラムデータ、その他の各種データである。ここで、上記通信アンテナ５２及び通信回路５１の受信データが通話音声のデータである場合、その通話音声のデータはデータラインを介して音声処理部６２へ送られ、それ以外の受信データは一旦、制御部５０へ送られて処理された後、必要に応じて当該制御部５０から各部へ送られる。
【００４３】
音声処理部６２は、上記通信アンテナ５２及び通信回路５１から通話音声の受信データが供給された時には、当該通話音声の受信データを復号化し、その復号化後の通話音声データをデータラインを介してスピーカ６０へ送る。
【００４４】
スピーカ６０は、携帯電話端末１に設けられている受話用のスピーカ４やリンガ（着信音）、音楽再生、アラーム音出力用のスピーカであり、ディジタル／アナログ変換器と増幅器を含み、通話音声やリンガ音，再生音楽のデータを、ディジタル／アナログ変換及び増幅した後、出力する。これにより、通話音声やリンガ音，再生音楽が得られることになる。
【００４５】
マイクロホン６１は、送話用のマイクロホン５であり、アナログ／ディジタル変換器と増幅器を含む。このマイクロホン６１を介して入力された通話音声信号は、増幅器により所定のレベルに増幅された後、アナログ／ディジタル変換器によりディジタル音声データに変換され、データラインを介して音声処理部６２へ送られて符号化された後、データラインを介して通信回路５１へ送られて変調、周波数変換等の各種処理を受け、通信アンテナ５２から送信される。
【００４６】
表示部５４は、液晶等からなる前記ディスプレイ部２とそのディスプレイ部２を駆動するためのディスプレイ駆動回路とからなる。ディスプレイ駆動回路は、画像処理部６３から供給された画像信号に基づいて、上記ディスプレイ部２を駆動する。これにより、ディスプレイ部２には、画像や文字等が表示される。
【００４７】
静脈認証用カメラモジュール６４は、前述した携帯電話端末１の筐体背面部に設けられているカメラ部２１であり、撮像素子と結像用光学系、近赤外線を透過するフィルタなどにより構成されている。
【００４８】
ＬＥＤ（発光ダイオード）部６７は、着信ＬＥＤや表示部５４のバックライト用ＬＥＤ、各キーの照明用ＬＥＤならなる。なお、前述した第２の具体例のように携帯電話端末１本体に静脈認証用のライト部２２ａ，２２ｂが設けられている場合には、それらライト部２２ａ，２２ｂも当該ＬＥＤ部６７に含まれる。ＬＥＤ駆動部６６は、制御部５０による制御の元で、ＬＥＤ部６７を駆動する。なお、前述した第１の具体例のように静脈認証補助パネル１０の照明部１４ａ，１４ｂがＬＥＤを備えている場合、ＬＥＤ駆動部６５により生成されたライト駆動用電力は、当該携帯電話端末１に設けられた外部ＬＥＤ駆動端子部（前述した電気接点）６８を通じて、上記静脈認証補助パネル１０の照明部１４ａ，１４ｂのＬＥＤへ送られることになる。
【００４９】
画像処理部６３は、表示部５４に表示される画像の処理を行う。また、画像処理部６３は、制御部５０による制御の元で内蔵メモリから読み出された圧縮符号化されている画像データや、インターネット等を介して取得した画像データ等を伸張復号化等し、その伸張復号後の画像データをデータラインを介して表示部５４へ送って表示させる。
【００５０】
操作部５３は、本実施形態の携帯電話端末１の筐体上に設けられているキーボード部３等の操作デバイスと、それら操作デバイスの操作に応じた操作信号を発生する操作信号発生器とからなる。
【００５１】
認証処理部６５は、当該携帯電話端末１が静脈認証モードに設定されている時に、静脈認証用カメラモジュール６４にて撮影され画像処理部６３にて適切な画像処理が施された撮影画像情報から、ユーザ固有の生体パターン（この例では指の静脈パターン）を抽出し、当該抽出した静脈パターンと、メモリ部５５に予め登録されている正当なユーザの静脈パターンと比較することにより、ユーザの認証を行う。そして、その認証結果の情報は、制御部５０に送られることになる。
【００５２】
メモリ部５５は、ＲＯＭ（Read Only Memory）とＲＡＭ（Random Access Memory）を含む。ＲＯＭは、ＯＳ（Operating System）、制御部５０が各部を制御するための制御プログラムコード、各種の初期設定値、フォントデータ、仮名漢字変換や予測変換に用いられる辞書データ、着信音やキー操作音等の音データ、本実施形態にかかる静脈認証の制御プログラムコード、その他、当該端末に搭載される各種のアプリケーション用のプログラムコード、当該端末の機器識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳や電子メールアドレス帳のデータ、スケジュール帳のデータ、通信履歴等の様々なデータ、ユーザ辞書データ、静止画や動画データ、キー操作音等の音データ、本実施形態にかかる静脈認証時に使用される正当ユーザの登録静脈パターン情報、その他、各種のユーザ設定値等を保存することも可能となされている。ＲＡＭは、制御部５０が各種のデータ処理を行う際の作業領域として、随時データを格納する。
【００５３】
制御部５０は、ＣＰＵからなり、メモリ部５５に記憶されているＯＳや各種プログラムに基づいて、当該端末の様々な制御、本実施形態にかかる静脈認証時の制御等を行う。
【００５４】
その他、図９には図示を省略しているが、本実施形態の端末は、外部メモリインターフェース、外部ケーブル用コネクタ、赤外線通信機能、電子財布機能、バイブレータ、バッテリ、電力制御機能、通常のカメラ機能など、一般的な携帯電話端末が備えている各構成要素についても備えている。なお、それら一般的な携帯電話端末が備えている回路構成やその他の構成の説明については省略する。
【００５５】
〔まとめ〕
本実施形態によれば、上述したように、様々な指の太さや長さ等に応じた静脈認証用パネル１０が携帯電話端末１に着脱自在となされており、また、静脈認証用パネル１０は指型ガイド部１１ａ，１１ｂ，１１ｃとカメラ窓部１３、照明部１４ａ，１４ｂ若しくは１５ａ，１５ｂを備えていることにより、筐体が小型である携帯電話端末１において指の静脈認証を行う場合に、その指の位置や角度を略々正確に再現でき、また、様々な太さや長さ、形状の指についても静脈認証の認識率を向上させることが可能となっている。
【００５６】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００５７】
本発明は上述した実施形態に挙げた携帯電話端末に限定されず、ＰＤＡ（PDA：Personal Digital Assistants）、カーナビゲーションシステムやＡＶ機器のリモートコントローラ等、様々な携帯端末にも適用可能である。
【００５８】
また、上記照明部１４ａ，１４ｂのＬＥＤ或いは携帯電話端末１のライト部２２ａ，２２ｂから出射される近赤外光は、連続発光だけでなく、パルス発光にしても良い。パルス発光にすることにより、パルス発光タイミングと生体認証用の撮影タイミングを合わせれば、生体認証時における外光の影響を少なくすることができる。
【図面の簡単な説明】
【００５９】
【図１】本発明実施形態の携帯電話端末の概略的な正面外観図である。
【図２】本実施形態の第１の具体例の静脈認証補助パネルが装着された状態の携帯電話端末の概略的な背面外観図である。
【図３】本実施形態の第１の具体例の静脈認証補助パネルの概略的な正面外観図である。
【図４】本実施形態の第１の具体例の静脈認証補助パネルの概略的な断面図である。
【図５】本実施形態の第２の具体例の静脈認証補助パネルの概略的な断面図である。
【図６】本実施形態の第３の具体例の静脈認証補助パネルの概略的な正面外観図である。
【図７】本実施形態の第４の具体例の静脈認証補助パネルの概略的な正面外観図である。
【図８】本実施形態の第５の具体例の静脈認証補助パネルの概略的な正面外観図である。
【図９】本発明実施形態の携帯電話端末の概略的な内部回路構成を示すブロック図である。
【符号の説明】
【００６０】
１  携帯電話端末、２  ディスプレイ部、３  キーボード部、４，６０  受話用のスピーカ、５，６１  送話用のマイクロホン、１０  静脈認証補助パネル、１１ａ，１１ｂ，１１ｃ  指型ガイド部、１２ａ，１２ｂ，１２ｃ  指先固定部、１３  カメラ窓部、１４ａ，１４ｂ  ＬＥＤを備えた照明部、１５ａ，１５ｂ  貫通穴若しくは透明部材からなる照明部、２１  カメラ部、２２ａ，２２ｂ  携帯電話端末のライト部、５０  制御部、５１  通信回路、５２  通信用のアンテナ、５３  操作部、５４  表示部、５５  メモリ部、６２  音声信号処理部、６３  画像信号処理部、６４  静脈認証用カメラモジュール、６５  静脈認証処理部、６６  ＬＥＤ駆動部、６７  ＬＥＤ部、６８  外部ＬＥＤ駆動端子部
【図１】
2007215951.tif 000003
【図２】
2007215951.tif 000004
【図３】
2007215951.tif 000005
【図４】
2007215951.tif 000006
【図５】
2007215951.tif 000007
【図６】
2007215951.tif 000008
【図７】
2007215951.tif 000009
【図８】
2007215951.tif 000010
【図９】
2007215951.tif 000011